(57)【要約】【課題】上下方向（鉛直方向）において小型化が可能な真空成形装置等の提供。【解決手段】本発明に係る真空成形装置１は、基材８に表皮材９を真空吸引しながら貼り付ける真空成形装置１であり、上型２と、型開き時に上型２と対向しつつ上型２から離れるように下降し、型締め時に上型２と対向しつつ上型２に近付くように上昇して上型２との間で基材８及び表皮材９を挟みつつ成形する下型３と、上型２、又は下型３に設けられ、型締め時に表皮材９が基材８に密着するように表皮材９を真空吸引する吸引孔５１とを備え、上型２は、型開き後に下型３と対向しないように下型３の側方へ退避し、かつ型締め前に退避前の元の位置へ復帰するように水平方向に移動可能である。【選択図】図１
2015058547.tif 000002
【特許請求の範囲】
【請求項１】
基材に表皮材を真空吸引しながら貼り付ける真空成形装置であって、
上型と、
型開き時に前記上型と対向しつつ前記上型から離れるように下降し、型締め時に前記上型と対向しつつ前記上型に近付くように上昇して前記上型との間で前記基材及び前記表皮材を挟みつつ成形する下型と、
前記上型、又は前記下型に設けられ、型締め時に前記表皮材が前記基材に密着するように前記表皮材を真空吸引する吸引孔とを備え、
前記上型は、型開き後に前記下型と対向しないように前記下型の側方へ退避し、かつ型締め前に退避前の元の位置へ復帰するように水平方向に移動可能であることを特徴とする真空成形装置。
【請求項２】
前記表皮材の周縁を把持する形で前記表皮材を固定するクランプ装置を備え、
前記クランプ装置は、型開き時に前記上型と前記下型の間にある初期位置に配され、かつ型締め時に前記上型の近くに配されるように昇降可能である請求項１に記載の真空成形装置。
【請求項３】
前記下型の側方に配され、前記表皮材を加熱する加熱装置を備え、
前記上型は、型開き後に前記加熱装置の上方へ退避し、
前記クランプ装置は、成形前に前記表皮材を加熱するために、前記上型の退避後、前記初期位置から前記加熱装置側へ水平方向に移動可能である請求項２に記載の真空成形装置。
【請求項４】
請求項１〜３の何れか一項に記載の真空成形装置を利用して前記基材に前記表皮材を真空吸引しながら貼り付ける真空成形方法であって、
前記上型が、型開き後に前記下型と対向しないように水平方向に移動して前記下型の側方へ退避する工程と、
前記上型の退避後、前記下型に前記基材がセットされる工程と、
前記基材のセット後、前記上型が、水平方向に移動して型締め前に元の位置へ復帰する工程とを備える真空成形方法。
【発明の詳細な説明】
【技術分野】
【０００１】
本発明は、真空成形装置及び真空成形方法に関する。
【背景技術】
【０００２】
特許文献１に示されるように、基材の表面に表皮材を真空貼着して、自動車用ドアトリム等の内装材を成形する方法が知られている。この種の成形方法では、真空吸引しながら基材及び表皮材を圧着しつつ成形する成形型を備えた成形装置が利用されている。成形装置の成形型は、特許文献１に示されるように、型開き時及び型締め時において、それぞれ上下方向（鉛直方向）に昇降可能な上型と下型とを備えている。
【先行技術文献】
【特許文献】
【０００３】
【特許文献１】特開２００２−１８９４０号公報
【発明の概要】
【発明が解決しようとする課題】
【０００４】
成形装置の上型及び下型が、型開き時及び型締め時において、ともに昇降可能な構成であると、上型及び下型の移動スペースや、型開き時に成形対象物（基材等）を成形型にセットするための作業スペースを確保等する必要があるために、成形装置が上下方向（鉛直方向）で大型化してしまうことがあった。
【０００５】
本発明の目的は、上下方向（鉛直方向）において小型化が可能な真空成形装置、及び前記真空成形装置を用いた真空成形方法を提供することである。
【課題を解決するための手段】
【０００６】
本発明に係る真空成形装置は、基材に表皮材を真空吸引しながら貼り付ける真空成形装置であって、上型と、型開き時に前記上型と対向しつつ前記上型から離れるように下降し、型締め時に前記上型と対向しつつ前記上型に近付くように上昇して前記上型との間で前記基材及び前記表皮材を挟みつつ成形する下型と、前記上型、又は前記下型に設けられ、型締め時に前記表皮材が前記基材に密着するように前記表皮材を真空吸引する吸引孔とを備え、前記上型は、型開き後に前記下型と対向しないように前記下型の側方へ退避し、かつ型締め前に退避前の元の位置へ復帰するように水平方向に移動可能であることを特徴とする。
【０００７】
前記真空成形装置は、上型が、型開き後に下型と対向しないように下型の側方へ退避し、かつ型締め前に退避前の元の位置へ復帰するように水平方向に移動可能な構成であるため、上型の退避後に、下型に成形前の基材をセットするための作業スペースが、下型の上方に確保される。その結果、下型に基材がセットされる際、作業者や基材等が上型と干渉することが抑制される。つまり、前記真空成形装置では、型開き時における上型と下型との間の間隔（距離）として、下型に基材をセットするための作業スペースを確保することを考慮する必要がない。そのため、前記真空成形装置は、上下方向（鉛直方向）において小型化が可能な構成となっている。
【０００８】
前記真空成形装置において、前記表皮材の周縁を把持する形で前記表皮材を固定するクランプ装置を備え、前記クランプ装置は、型開き時に前記上型と前記下型の間にある初期位置に配され、かつ型締め時に前記上型の近くに配されるように昇降可能であってもよい。前記真空成形装置は、このようなクランプ装置を備えているため、上型と下型との間で確実に基材及び表皮材を挟みつつ成形することができる。また、前記真空成形装置は、上型の退避後に、クランプ装置に表皮材を固定するための作業スペースが、クランプ装置の上方に確保される。そのため、クランプ装置に表皮材が固定（セット）される際、作業者や表皮材等が上型と干渉することが抑制される。つまり、前記真空成形装置では、型開き時における上型と下型との間の間隔（距離）として、クランプ装置に表皮材を固定するための作業スペースを確保することを考慮する必要がない。そのため、前記真空成形装置は、クランプ装置を備えていても、上下方向（鉛直方向）において小型化が可能な構成となっている。
【０００９】
前記真空成形装置において、前記下型の側方に配され、前記表皮材を加熱する加熱装置を備え、前記上型は、型開き後に前記加熱装置の上方へ退避し、前記クランプ装置は、成形前に前記表皮材を加熱するために、前記上型の退避後、前記初期位置から前記加熱装置側へ水平方向に移動可能であってもよい。前記真空成形装置は、下型の側方に配される、表皮材を加熱するための加熱装置を備える場合、その加熱装置の上方の空いたスペースを、上型を退避させるためのスペースとして有効活用できる。そのため、前記真空成形装置は、加熱装置を備える場合、上下方向のみならず左右方向（水平方向）の大型化を抑制できる構成となっている。また、前記真空成形装置は、上型の退避後に、クランプ装置が初期位置から加熱装置側へ水平方向に移動可能であるため、更に、下型に基材がセットされ易いように作業スペースが確保される。その結果、下型に基材がセットされる際、作業者や基材等がクランプ装置と干渉することが抑制される。
【００１０】
本発明に係る真空成形方法は、前記真空成形装置を利用して基材に表皮材を真空吸引しながら貼り付ける真空成形方法であって、上型が、型開き後に下型と対向しないように水平方向に移動して前記下型の側方へ退避する工程と、前記上型の退避後、前記下型に前記基材がセットされる工程と、前記基材のセット後、前記上型が、水平方向に移動して型締め前に元の位置へ復帰する工程とを備える。前記真空成形方法では、上型が、型開き後に下型と対向しないように水平方向に移動して下型の側方へ退避した後に、下型に基材がセットされるため、作業者や基材等が上型と干渉することが抑制される。その結果、前記真空成形方法では、基材等が上型等と接触して損傷等することも抑制される。
【発明の効果】
【００１１】
本発明によれば、上下方向（鉛直方向）において小型化が可能な構成の真空成形装置、及び前記真空成形装置を用いた真空成形方法を提供することができる。
【図面の簡単な説明】
【００１２】
【図１】真空成形装置の概略構成を模式的に表した説明図
【図２】上型が加熱装置の上方へ退避した状態の真空成形装置の概略構成を模式的に表した説明図
【図３】表皮材を固定したクランプ装置が加熱装置側へ移動した状態の真空成形装置の概略構成を模式的に表した説明図
【図４】上型が待機位置から正規位置へ戻された状態の真空成形装置の概略構成を模式的に表した説明図
【図５】クランプ装置が正規位置へ戻された状態の真空成形装置の概略構成を模式的に表した説明図
【図６】表皮材が下型に基材を介して下側から押し上げられた状態の真空成形装置の概略構成を模式的に表した説明図
【図７】成形型が型締めされた状態の真空成形装置の概略構成を模式的に表した説明図
【図８】成形型が型開きされて、内装材が取り出された状態の真空成形装置の概略構成を模式的に表した説明図
【発明を実施するための形態】
【００１３】
＜実施形態１＞
以下、本発明の実施形態１を、図１乃至図８を参照しつつ説明する。本実施形態では、真空成形装置１、及び真空成形装置１を利用した真空成形方法を例示する。図１は、真空成形装置１の概略構成を模式的に表した説明図である。本実施形態の真空成形装置１は、基材の表面に表皮材を真空貼着（真空吸引しながらの貼付）して車両用内装材（例えば、ドアトリム）を成形する装置である。なお、図１等の各図に示される上下方向は、鉛直方向に対応し、各図に示される左右方向は水平方向に対応する。
【００１４】
真空成形装置１は、主として、上型２及び下型３を有する成形型４、真空吸引機構５、クランプ装置６、加熱装置７を備えている。真空成形装置１は、水平な床面（不図示）上に載置された状態で利用される。
【００１５】
成形型４は、主として、上型２と、下型３とを備えている。図１に示される成形型４は、上型２と下型３とが互いに分離されて型開きの状態となっている。上型２は、凹型の成形面２１を有し、その成形面２１が下方を向く形で設置されている。また、上型２は、上下方向（鉛直方向）に移動しないように高さ位置（上下方向における位置）が固定されている。なお、上型２は、後述するように、水平方向に往復移動できるように構成されている。
【００１６】
下型３は、凸型の成形面３１を有し、その成形面３１が上方を向きつつ、上型２の成形面２１と対向する形で、上型２の下方に設置されている。下型３は、上下方向（鉛直方向）に沿って昇降可能に構成されている。そのため、下型３は、型締め時に上型２に近付くように上昇し、かつ型開き時に上型２から離れるように下降する。なお、下型３は、図示されないサーボ機構により上下方向に昇降可能な昇降装置（不図示）に固定されている。下型３は、前記昇降装置の昇降に伴って上下方向に昇降する。他の実施形態においては、サーボ機構以外の昇降装置（例えば、油圧シリンダ、エアシリンダ等の流体圧シリンダを備える昇降装置）を利用して、下型３を昇降させてもよい。
【００１７】
真空吸引機構５は、主として、吸引孔５１、吸引部材５２、配管５３、開閉バルブ５４、真空タンク５５等を備えている。
【００１８】
吸引孔５１は、下型３を上下方向に貫通する形で複数個設けられている。吸引孔５１の一方の開口端５１ａは、成形面３１に配されている。成形面３１には、複数個の開口端５１ａが互いに所定の間隔を保つように配設されている。また、吸引孔５１の他方の開口端５１ｂは、下型３の下面３２に配されている。吸引部材５２は、下型３の下面３２との間に空間部５２ａが形成されるように、下面３２を覆う形で下型３に取り付けられる。吸引部材５２は、下型３とは別部材からなり、上方が開口した箱状をなしている。吸引部材５２と下型３の下面３２との間で形成される空間部５２ａは、各吸引孔５１と連通されている。また、空間部５２ａは、外部の配管５３とも連通されている。
【００１９】
配管５３の一端は、吸引部材５２に接続されており、上述のように空間部５２ａに連通されている。また、配管５３の他端は、真空タンク５５と連通可能な状態で接続されている。そして、配管５３の途中には、吸引孔５１による吸引量を調節する開閉バルブ５４が設けられている。開閉バルブ５４は、図示されない制御装置からの指令により、開閉操作が行われる。また、真空タンク５５は、図示されない真空ポンプの吸気口側と接続されている。この真空ポンプの駆動により、真空タンク５５内が減圧され、そして、開閉バルブ５４が開状態となると、吸引孔５１を介して成形型４に負圧が与えられる。吸引孔５１から与えられる負圧により、後述するように成形型４内において、基材の表面に表皮材を隙間なく密着させることができる。なお、図１以外の各図では、説明の便宜上、真空吸引機構５は省略されている。
【００２０】
クランプ装置６は、表皮材を固定する装置である。クランプ装置６は、枠状をなし、表皮材の周縁を把持する形で表皮材を固定するクランプ部６１を備えている。クランプ部６１は、表皮材を水平方向に広げた状態で固定することができる。クランプ部６１は、図示されないエアシリンダの往復動作に応じて、表皮材を把持する動作と、表皮材を開放する動作とが切り替わるように構成されている。前記エアシリンダの往復動作は、図示されない制御装置からの指令に基づいて、適宜、制御される。
【００２１】
クランプ装置６は、クランプ部６１を上下方向に昇降可能な昇降装置（不図示）を備えている。この昇降装置も、図示されないサーボ機構により上下方向に昇降可能な構成となっている。クランプ部６１は、後述するように、成形型４の型締め時に上型２に近付くように下方から上方に移動することができる。また、クランプ装置６は、クランプ部６１を水平方向（左右方向）に往復移動させるスライド装置（不図示）を備えている。クランプ部６１は、後述するように、加熱装置７で表皮材を加熱するために下型３の上方の位置から、下型３の側方の位置へ水平方向に移動することができる。なお、クランプ部６１の上下方向における昇降（往復移動）と、水平方向における往復移動とは、図示されない制御装置からの指令に基づいて、適宜、制御される。本実施形態の場合、クランプ装置６と、上述した下型３とは、それぞれ独立して上下方向に昇降できるように構成されている。
【００２２】
加熱装置７は、クランプ装置６（クランプ部６１）で固定されている表皮材を成形前に予め軟化させるために加熱（予熱）するための装置である。加熱装置７は、図１に示されるように、成形型４の側方に隣接する形で設けられている。なお、加熱装置７の高さ位置は、上型２の高さ位置よりも低くなるように設定されている。加熱装置７は、それぞれ平板状をなし、互いに間隔を保ちつつ対向する形で配される一対の加熱部７１，７２を備えている。各加熱部７１，７２は、それぞれ遠赤外線ヒーターを備えている。加熱部７１と加熱部７２との間には、クランプ部６１で固定されている表皮材を収容するための空間（隙間）７３が設けられている。一方の加熱部７１は、成形型４の型開き時におけるクランプ装置６（クランプ部６１）の高さ位置よりも上方に配され、クランプ部６１で固定されている表皮材を上方から加熱できるように構成されている。他方の加熱部７２は、成形型４の型開き時におけるクランプ装置６（クランプ部６１）の高さ位置よりも下方に配され、クランプ部６１で固定されている表皮材を下方から加熱できるように構成されている。つまり、本実施形態の加熱装置７は、表皮材を両面側（上下方向）から加熱できる構成となっている。なお、加熱装置７は、図示されない支持装置により、所定の高さで固定されるように支持されている。
【００２３】
次いで、真空成形装置１の各構成の動作を説明しつつ、真空成形装置１を利用して、基材８の表面に表皮材９を真空貼着して車両用内装材１０を成形する方法（真空成形方法）を説明する。
【００２４】
図１には、初期状態の真空成形装置１が示されている。初期状態の真空成形装置１では、成形型４が型開き状態となっており、下型３が最も下方に配され、上型２と所定距離を保っている。下型３が最も下方に配されている位置を、下型３の初期位置と称する。なお、初期状態における上型２の位置を、上型２の正規位置（成形位置）と称する。
【００２５】
型開き状態の成形型４において、上型２と下型３との間の間隔（距離）は、例えば、成形型４から成形物を取り出すことができる程度の間隔が確保されればよい。つまり、従来技術のように、上型２と下型３とが対向した状態において、作業者が下型３に基材８を容易にセットできるように、上型２と下型３との間隔を広く設定する必要がない。なお、図１に示されるように、初期状態の真空成形装置１では、未だ下型３に基材８はセットされていない。
【００２６】
また、初期状態の真空成形装置１では、クランプ装置６のクランプ部６１の高さ位置は、上型２の高さ位置と、下型３の高さ位置との間（略中間）の位置であって、かつ成形型４に隣接する加熱装置７の空間（隙間）７３と略同じ高さ位置となるように設定されている。また、上下方向から見た際、枠状をなしたクランプ部６１の内側部分に、上型２及び下型３が収まるように、水平方向におけるクランプ部６１の位置が設定されている。初期状態の真空成形装置１における、このようなクランプ装置６（クランプ部６１）の位置を、クランプ装置６の正規位置と称する（図１参照）。
【００２７】
（上型２が下型３の側方へ退避する工程）
図２は、上型２が加熱装置７の上方へ退避した状態の真空成形装置１の概略構成を模式的に表した説明図である。真空成形装置１は、図１に示される初期状態から、図２に示される状態となるように作動する。具体的には、成形型４の上型２が、下型３と対向しないように、正規位置から退避して加熱装置７側へ水平方向に移動する。そして、上型２は、加熱装置７の上方で停止して、加熱装置７の上方で所定時間、待機する。このように、上型２が、加熱装置７の上方等のように下型３の側方で待機する位置を、待機位置（退避位置）と称する。また、上型２が待機位置にある際の真空成形装置１の状態（及び成形型４の状態）を、退避状態と称する。
【００２８】
（クランプ装置６に表皮材９が固定される工程）
真空成形装置１が初期状態から作動して退避状態となった後、クランプ装置６のクランプ部６１に、表皮材９が取り付けられる作業が行われる。退避状態の真空成形装置１では、図２に示されるように、上型２が側方へ退避したことにより、クランプ装置６（クランプ部６１）の上方、及び下型３の上方に、スペース（上下方向におけるスペース）が確保される。このようにスペースが確保されるため、作業者は、上型２と干渉等することなく、クランプ装置６に表皮材９を取り付ける作業を行い易くなっている。
【００２９】
（クランプ装置６が加熱装置７側へ移動する工程（表皮材９の加熱工程））
図３は、表皮材９を固定したクランプ装置６が加熱装置７側へ移動した状態の真空成形装置１の概略構成を模式的に表した説明図である。クランプ装置６（クランプ部６１）は、表皮材９を固定した状態で、初期位置から水平方向に移動して加熱装置７の空間（隙間）７３内に収容される。つまり、クランプ装置６（クランプ部６１）は、初期位置から側方へ退避した状態となる。なお、クランプ装置６が加熱装置７の空間７３内に収容される位置を、クランプ装置６の加熱位置と称する。
【００３０】
表皮材９は、成形型４で成形される前に、予め加熱装置７を利用して加熱・軟化される。表皮材９は、例えば、塩化ビニル製のシートにポリプロピレン製の発泡層が裏打ちされた部材からなり、熱可塑性を備えている。表皮材９を予め加熱して軟化させておくと、成形時に表皮材９が基材８の表面形状に倣って密着し易くなる。表皮材９を加熱する温度や、加熱時間等の諸条件は、表皮材９の形状や材質等に応じて、適宜、設定される。
【００３１】
（基材８が下型３にセットされる工程）
退避状態の真空成形装置１において、クランプ装置６が初期位置から加熱位置へ移動した後、成形面３１上に載せられる形で基材８が下型３にセットされる。退避状態の真空成形装置１において、上記のようにクランプ装置６が初期位置から加熱位置へ移動すると、下型３の上方にスペースが確保される。上述のように、上型２が待機位置に退避することによって、既に下型３の上方にはある程度のスペースが確保されているが、クランプ装置６が初期位置から加熱位置へ移動（退避）することによって、更に下型３の上方にスペース（上下方向におけるスペース）が確保されることになる。このように、下型３の上方にスペースが確保されることによって、作業者は、上型２やクランプ装置６（クランプ部６１）と干渉等することなく、下型３に基材８を取り付ける作業を行い易くなる。
【００３２】
なお、基材８は、下型３の成形面３１に配設されている複数の吸引孔５１の開口端５１ａを覆う形で下型３にセットされる。
【００３３】
基材８は、例えば、ポリプロピレン等の熱可塑性樹脂からなり、予め成形面３１に概ね倣った形の成形品からなる。なお、基材８の表面（表皮材９が貼り付けられる面）には、下型３にセットされる前に予め接着剤が塗布されている。基材８に塗布されている接着剤は、必要に応じて、乾燥炉等を用いて乾燥させてもよい。また、基材８には、厚み方向（基材の表裏方向）に貫通する複数の貫通孔８１が設けられている。これらの貫通孔８１は、吸引孔５１からの負圧を基材８越しに表皮材９に作用させるために設けられている。
【００３４】
（上型２が退避前の元の位置へ復帰する工程）
図４は、上型２が待機位置（退避位置）から正規位置（成形位置）へ戻された状態の真空成形装置１の概略構成を模式的に表した説明図である。下型３に基材８がセットされた後、加熱装置７の上方で待機していた上型２は、水平方向に移動して、退避前の元の位置（つまり、正規位置）へ復帰する。このように、上型２は型締め前（成形前）に正規位置へ戻される。
（クランプ装置６が初期位置へ復帰する工程）
【００３５】
図５は、クランプ装置６が初期位置へ戻された状態の真空成形装置１の概略構成を模式的に表した説明図である。クランプ装置６で固定された表皮材９が加熱装置７で加熱され、そして、基材８が下型３にセットされた後、クランプ装置６は加熱位置から水平方向に移動して初期位置に復帰する。本実施形態では、上型２が正規位置に復帰した後に、クランプ装置６が初期位置に復帰するように構成されている。なお、他の実施形態においては、上型２が正規位置に復帰する前に、クランプ装置６（クランプ部６１）が初期位置に復帰するように構成されてもよい。
【００３６】
（下型３が基材８を介して表皮材９を押し上げる工程）
上型２が正規位置（成形位置）に復帰し、かつクランプ装置６が初期位置に復帰した後、軟化した表皮材９を、下型３が基材８を介して下側から押し上げるために、下型３が初期位置から上型２に向かって上昇する。図６は、表皮材９が下型３に基材８を介して下側から押し上げられた状態の真空成形装置１の概略構成を模式的に表した説明図である。基材８及び表皮材９を成形する前（つまり、成形型４の型締め前）に、表皮材９に基材８が下側から押し当てられる。表皮材９は、加熱装置７により加熱されて軟化しているため、基材８に押されて変形しつつ基材８の表面形状に概ね倣った形となる。このように、基材８で表皮材９を下側から押し上げることにより、成形時（型締め時）に表皮材９が基材８の表面形状に追従し易くなる。
【００３７】
なお、下型３が基材８を介して表皮材９を押し上げる際、下型３は、表皮材９が張られているクランプ部６１の内側に配される形となる。図６に示されるように、下型３は、上下方向において部分的に、クランプ装置６のクランプ部６１を追い越すような形となってもよい。
【００３８】
下型３は、表皮材９を下側から押し上げた状態で保つために、所定時間、停止される。なお、下型３が、このように停止する位置を、押し上げ位置と称する（図６参照）。押し上げ位置は、下型３の初期位置と、後述する下型３の型締め位置との間にある。
【００３９】
（型締め工程（成形工程））
図７は、成形型４が型締めされた状態の真空成形装置１の概略構成を模式的に表した説明図である。表皮材９が下側から押し上げられた状態で所定時間保たれた後、クランプ装置６及び下型３は、ともに上型２に向かって近付くように上昇する。そして、上型２及び下型３との間で基材８及び表皮材９を重ねた状態で挟みつつ、上型２及び下型３が互いに嵌合する形で、成形型４の型締めが行われる。図７には、型締め状態の成形型４（及び真空成形装置１）が示されている。
【００４０】
型締めの際、図６に示される押し上げ位置の下型３は、表皮材９を基材８で押し上げたままの状態で上昇する。その際、クランプ装置６（クランプ部６１）も初期位置から下型３とともに上昇することになる。そして、クランプ装置６（クランプ部６１）は、型締め時に上型２の近くに配されることになる。本実施形態の場合、クランプ装置６（クランプ部６１）は、上下方向において、型締め状態の上型２と下型３の略中間の位置に配されている。なお、型締め状態の真空成形装置１における下型３の位置を、下型３の型締め位置と称し、クランプ装置６（クランプ部６１）の位置を、クランプ装置６の型締め位置（成形位置）と称する。
【００４１】
型締めの際、上型２の凹型の成形面２１と、下型３の凸型の成形面３１との間で、基材８及び表皮材９が挟み付けられた形となる。また、その際、表皮材９は、下型３に設けられた吸引孔５１により、基材８越しに真空吸引されて、接着剤が塗布されている基材８の表面に隙間なく密着される。つまり、型締め時の成形型４内には、下型３に設けられた吸引孔５１から負圧が与えられている。真空吸引された状態で、基材８及び表皮材９が上型２と下型３との間で挟み付けられると、表皮材９が基材８の表面に対して隙間なく貼り付けられつつ、所定形状に成形される。
【００４２】
本実施形態の真空成形装置１では、成形型４の型締め時において、上型２が上下方向に移動しない構成となっており、初期状態と同じ位置（正規位置）で静止している。
【００４３】
（型開き工程）
成形型４の型締めを所定時間行った後、成形型４内への負圧の供給が停止され、適宜、成形型４の型開きが行われる。成形型４を型開き状態とし、かつクランプ装置６による表皮材９の固定を解消することにより、成形型２から基材８及び表皮材９からなる成形物（車両用内装材）１０が取り出される（脱型される）。なお、型開き時に、下型３は型締め位置から初期位置に向かって下降する。また、成形型４には、成形物１０を取り出すための構成（突出しピン等）（不図示）が設けられている。図８は、成形型４が型開きされて、内装材１０が取り出された状態の真空成形装置１の概略構成を模式的に表した説明図である。このように、成形型４が型開き状態となり、基材８に表皮材９が貼り付けられてなる成形物（内装材）が取り出されると、真空成形装置１は、上述した初期状態に戻ることになる（図１参照）。
【００４４】
以上のように、本実施形態の真空成形装置１は、基材８に表皮材９を真空吸引しながら貼り付ける真空成形装置１であって、上型２と、型開き時に上型２と対向しつつ上型２から離れるように下降し、型締め時に上型２と対向しつつ上型２に近付くように上昇して上型２との間で基材８及び表皮材９を挟みつつ成形する下型３と、下型３に設けられ、型締め時に表皮材９が基材８に密着するように表皮材９を真空吸引する吸引孔５１とを備え、上型２は、型開き後に下型３と対向しないように下型３の側方へ退避し、かつ型締め前に退避前の元の位置（正規位置）へ復帰するように水平方向に移動可能な構成を備えている。
【００４５】
本実施形態の真空成形装置１は、上型２が、型開き後に下型３と対向しないように下型３の側方へ退避し、かつ型締め前に退避前の元の位置（正規位置）へ復帰するように水平方向に移動可能な構成であるため、上型２の退避後に、下型３に成形前の基材８をセットするための作業スペースが、下型３の上方に確保される。その結果、下型３に基材８がセットされる際、作業者や基材８等が上型２と干渉することが抑制される。つまり、真空成形装置１では、型開き時における上型２と下型３との間の間隔（距離）（下型３のストローク長さ、成形型４のオープンハイト）として、下型３に基材８をセットするための作業スペースを確保することを考慮する必要がない。そのため、真空成形装置１は、上下方向（鉛直方向）において小型化が可能な構成となっている。例えば、真空形成装置１を工場等の施設に設置する際、床面を下方に凹状に掘り下げた形からなる収容スペース（所謂、ピット）を施設に設ける必要がなく、設置作業の負担やコスト等も軽減されることになる。
【００４６】
また、本実施形態の真空成形装置１において、表皮材９の周縁を把持する形で表皮材９を固定するクランプ装置６（クランプ部６１）を備え、クランプ装置６（クランプ部６１）は、型開き時に上型２と下型３の間にある初期位置に配され、かつ型締め時に上型２の近くに配されるように昇降可能な構成となっている。
【００４７】
真空成形装置１は、このようなクランプ装置６を備えているため、上下方向における表皮材９の位置（高さ位置）を適宜、調節することが可能であり、上型２と下型３との間で確実に基材８及び表皮材９を挟みつつ成形することができる。また、真空成形装置１は、上型２の退避後に、クランプ装置６に表皮材９を固定するための作業スペースが、クランプ装置６の上方に確保される。そのため、クランプ装置６に表皮材９が固定（セット）される際、作業者や表皮材９等が上型２と干渉することが抑制される。つまり、真空成形装置１では、型開き時における上型２と下型３との間の間隔（距離）（下型３のストローク長さ、成形型４のオープンハイト）として、クランプ装置６に表皮材９を固定するための作業スペースを確保することを考慮する必要がない。そのため、真空成形装置１は、クランプ装置６を備えていても、上下方向（鉛直方向）において小型化が可能な構成となっている。
【００４８】
また、本実施形態の真空成形装置１において、下型３の側方に配され、表皮材９を加熱する加熱装置７を備え、上型２は、型開き後に加熱装置７の上方へ退避し、クランプ装置６は、成形前に表皮材９を加熱するために、上型２の退避後、初期位置から加熱装置７側へ水平方向に移動可能な構成となっている。
【００４９】
真空成形装置１は、下型３の側方に配される、表皮材９を加熱するための加熱装置７を備える場合、その加熱装置７の上方の空いたスペースを、上型２を退避させるためのスペースとして有効活用できる。そのため、真空成形装置１は、加熱装置７を備える場合、上下方向のみならず左右方向（水平方向）の大型化を抑制できる構成となっている。また、真空成形装置１は、上型２の退避後に、クランプ装置６が初期位置から加熱装置７側へ水平方向に移動可能であるため、更に、下型３に基材８がセットされ易いように作業スペースが確保される。その結果、下型３に基材８がセットされる際、作業者や基材８等がクランプ装置６と干渉することが抑制される。
【００５０】
本実施形態の真空成形方法は、前記真空成形装置１を利用して基材８に表皮材９を真空吸引しながら貼り付ける真空成形方法であって、上型２が、型開き後に下型３と対向しないように水平方向に移動して下型３の側方へ退避する工程と、上型２の退避後、下型３に基材８がセットされる工程と、基材８のセット後、上型２が、水平方向に移動して型締め前に元の位置へ復帰する工程とを備える。本実施形態の真空成形方法では、上型２が、型開き後に下型３と対向しないように水平方向に移動して下型３の側方へ退避した後に、下型３に基材８がセットされるため、作業者や基材８等が上型２と干渉することが抑制される。その結果、前記真空成形方法では、基材８等が上型２等と接触して損傷等することも抑制される。
【００５１】
＜他の実施形態＞
本発明は上記記述及び図面によって説明した実施形態に限定されるものではなく、例えば次のような実施形態も本発明の技術的範囲に含まれる。
【００５２】
（１）上記実施形態の真空成形装置１は、車両用内装材としてドアトリムを成形するものであったが、本発明はこれに限られず、他の実施形態においては、例えば、インストルメントパネル等の他の内装材であってもよい。
【００５３】
（２）上記実施形態では、予め接着剤が塗布されている基材の表面に、表皮材を貼り付けていたが、本発明はこれに限られず、他の実施形態においては、軟化した表皮材が備える接着力を利用して基材に表皮材が貼り付けられるものであってもよい。
【００５４】
（３）上記実施形態では、上型２の退避時に、加熱装置７の上方に退避する構成であったが、本発明はこれに限られず、他の実施形態においては、加熱装置７が設置されていない方向に上型２が水平方向に移動して下型３の側方へ退避する構成であってもよい。ただし、装置全体の小型化の観点、スペースの有効活用の観点等より、上述した実施形態１のように、加熱装置７の上方の空いたスペースに、上型２が退避する構成が好ましい。
【００５５】
（４）上記実施形態では、下型３に吸引孔５１が設けられていたが、他の実施形態においては、上型２に吸引孔５１が設けられる構成であってもよい。
【符号の説明】
【００５６】
１…真空成形装置、２…上型、３…下型、４…成形型、５…真空吸引機構、５１…吸引孔、６…クランプ装置、６１…クランプ部、７…加熱装置、７１，７２…加熱部、８…基材、９…表皮材、１０…内装材（成形物）
【図１】
2015058547.tif 000003
【図２】
2015058547.tif 000004
【図３】
2015058547.tif 000005
【図４】
2015058547.tif 000006
【図５】
2015058547.tif 000007
【図６】
2015058547.tif 000008
【図７】
2015058547.tif 000009
【図８】
2015058547.tif 000010